(57)【要約】【課題】把手部を筐体に螺着されるベルマウスと一体に設けることで、運搬時や据付時にベルマウスが破損したり、ぶれたりせず、丈夫で安価な熱源機を提供する。【解決手段】本熱源機は、熱源機筐体内に設置される熱交換器と、この熱交換器を介して空気を熱源機の背面側吸込部から吸込み正面側の吹出口から吹出す送風機と、吹出口の前記熱源機筐体内側に螺着されるベルマウスと、吹出口の熱源機筐体外側に取付けられる吹出グリルと、ベルマウスと一体に設けられる把手部とを備える。【選択図】  図１
2010065988.tif 000002
【特許請求の範囲】
【請求項１】
熱源機筐体内に設置される熱交換器と、
この熱交換器を介して空気を熱源機の背面側吸込部から吸込み正面側の吹出口から吹出す送風機と、
前記吹出口の前記熱源機筐体内側に螺着されるベルマウスと、
前記吹出口の前記熱源機筐体外側に取付けられる吹出グリルと、
前記ベルマウスと一体に設けられる把手部と
を備えることを特徴とする熱源機。
【請求項２】
前記送風機は上下方向に２個設けられ、前記把手部は少なくとも下側に配置される送風機に対応するベルマウスに設けられることを特徴とする請求項１に記載の熱源機。
【発明の詳細な説明】
【技術分野】
【０００１】
本発明は熱源機に係り、特に把手の構造を改良した熱源機に関する。
【背景技術】
【０００２】
従来、この種の熱源機は、熱源機本体内を機械室と、吹出用グリルを備える吹出口が設けられた熱交換室とに区画し、機械室には、圧縮機、アキュムレータ、各種弁および冷媒配管、室外制御装置等を収容し、熱交換室には、熱交換器、送風機を収容している。
【０００３】
そのため、熱源機は大重量になり、据付工事などにこの熱源機を持ち上げて移動させるための把手が必要となる。
【０００４】
この把手は、外観構成上、吹出グリルを避けるなどその設置位置に制約を受けるため、熱源機本体の吸込開口に取り付けた吹出グリルの一部に把手を設けた熱源機が提案されている(例えば、特許文献１参照)。
【０００５】
しかしながら、特許文献１に記載の熱源機は、吹出グリルの下部左側に把手を設け、この把手は袋状をなし、さらに、把手の補強のために、前面パネルの取り付け開口にはめ込むようにして延び、この把手は吹出グリルの横桟に沿って横方向に延びている。
【０００６】
このため、吹出グリルは美観を損ねないようにねじ止めされていないため、吹出グリルに把手を設けることは強度的に問題があり、また、吹出グリルの裏面に複数の爪を設け、筐体前板に押し込んでいるため、吹出グリルに把手を設けると、運搬時あるいは据付時に吹出グリルが破損したり、筐体と吹出グリルとの間に間隙ができ異常音（ビビリ音）が発生するおそれがある。
【特許文献１】特開平９−１８９４３５号公報
【発明の開示】
【発明が解決しようとする課題】
【０００７】
本発明は上述した事情を考慮してなされたもので、把手部を筐体に螺着されるベルマウスと一体に設けることで、運搬時や据付時にベルマウスが破損したり、ぶれたりせず、丈夫で安価な熱源機を提供することを目的とする。
【課題を解決するための手段】
【０００８】
上述した目的を達成するため、本発明に係る熱源機は、熱源機筐体内に設置される熱交換器と、この熱交換器を介して空気を熱源機の背面側吸込部から吸込み正面側の吹出口から吹出す送風機と、前記吹出口の前記熱源機筐体内側に螺着されたベルマウスと、前記吹出口の前記熱源機筐体外側に取付けられる吹出グリルと、前記ベルマウスと一体に設けられる把手部とを備えることを特徴とする。
【発明の効果】
【０００９】
本発明に係る熱源機によれば、把手部を筐体に螺着されるベルマウスと一体に設けることで、運搬時や据付時にベルマウスが破損したり、ぶれたりせず、丈夫で安価な熱源機を提供することができる。
【発明を実施するための最良の形態】
【００１０】
本発明の一実施形態に係る熱源機について図面を参照して説明する。
【００１１】
図１は本発明の一実施形態に係る熱源機の正面を示す概念図、図２はその熱源機を分解し、前面吹出板を切欠して示す斜視図、図３は本実施形態の熱源機に用いるベルマウスの平面図である。
【００１２】
図１及び図２に示すように、本実施形態の空気調和機の熱源機１は、熱源機筐体２を備える。
【００１３】
この熱源機筐体２は、長方形で扁平皿状の底板３と、この底板３から立設され機械室４の前面に位置する前面板５と、この前面板５に連設され、熱交換室６の前面に位置し、上側吹出口７、下側吹出口８が設けられ、上側吹出グリル９、下側吹出グリル１０が取り付けられ、上側ベルマウス１１、下側ベルマウス１２が螺着された前面吹出板１３と、熱交換室６の背面側に配置され、線状部材１４と支柱１５からなるフィンガード１６と、Ｌ字形状に折曲された機械室側板１７と、これら部材５、１３、１６、１７により形成される上部開口１８を覆うように載置された天板１９で構成される。
【００１４】
前面板５の中央下寄りの高さ位置には、前面把手２０が設けられ、Ｌ字形状の機械室側板１７の背面１７ａの中央下寄りの位置には、背面把手２１が設けられ、さらに、支柱１５の中央高さ位置に把手部（図示せず）が設けられる。
【００１５】
また、前面吹出板１３の中央下寄りの高さで、左端近傍位置には、把手用開口１３ａが設けられる。
【００１６】
熱源機筐体２内は仕切板２２によって、機械室４と熱交換室６に区画され、機械室４には、底板３上に載置されて圧縮機２３、アキュムレータ２４、現地配管接続部２５、四方弁などの各種弁および冷媒配管、圧縮機２３や熱交換室６に収容される上側送風機２６、下側送風機２７等を駆動制御する室外制御装置２８等が収容されている。
【００１７】
一方、熱交換室６には底板３上に載置されてＬ字形状で縦長の熱交換器２９が収容され、さらに、この熱交換器２９の前側には上下２個の上側送風機２６、下側送風機２７が収容される。
【００１８】
熱交換器２９はフィンガード１６を介して外部に露出しており、熱源機１の背面側吸込部として機能する。
【００１９】
また、上側送風機２６、下側送風機２７の上側ファン２６ａ、下側ファン２７ａとそれぞれ対向するように上側ベルマウス１１、下側ベルマウス１２が設けられ、この下側ベルマウス１２には、前面吹出板１３に設けた把手用開口１３ａに対向する位置に把手部１２ａが設けられる。
【００２０】
なお、上側ベルマウス１１と下側ベルマウス１２は、この下側ベルマウス１２に把手部１２ａを設ける以外はほぼ同一形状、同一材質である。従って、上側ベルマウス１１には下側ベルマウス１２と同一部分には同一符号を付して説明は省略する。
【００２１】
図２および図３に示すように、下側ベルマウス１２は所定幅と肉厚を持ち、強固なリング状のベルマウス本体１２ｂを備え、このベルマウス本体１２ｂには、ほぼ均等に配されて、ねじ孔１２ｃが設けられた取付片部１２ｄ、１２ｅが形成され、そのうちの１個の取付片部１２ｅは他に比べて大きく形成され、端部側には把手部１２ａが形成される。この把手部１２ａはほぼ長方体形状で有底である。
【００２２】
下側ベルマウス１２は合成樹脂製であり、ベルマウス本体１２ｂ、取付片部１２ｄおよび把手部１２ａを備えた取付片部１２ｅは、一体にモールド成形される。
【００２３】
従って、上側ベルマウス１１、下側ベルマウス１２が、下側吹出口８の熱源機筐体２内側である前面吹出板１３に螺着された状態では、前面吹出板１３に設けた把手用開口１３ａと把手部１２ａが密接して一体的になり、把手用開口１３ａに挿入された指で把手部１２ａを把持することができる。
【００２４】
なお、図２中符号３０は防音板、符号３１は配管パネルである。
【００２５】
次に本第１実施形態の熱源機の移動について説明する。
【００２６】
図１および図２に示すように、二人の作業者のうち一人の作業者が、把手部１２ａおよび支柱１５に手を掛け、もう一人の作業者が前面把手２０および背面把手２１に手を掛け熱源機１を持ち上げ移動する。
【００２７】
この熱源機１の移動過程において、把手部１２ａを前面吹出板１３に設けた把手用開口１３ａに対向する位置に把手部１２ａを設けるので、および支柱１５とともに用いて、熱源機筐体２の熱交換室６側から熱源機１を持ち上げるのが容易になる。熱源機筐体２の熱交換室６側は、圧縮機２３やアキュムレータ２４などの重量物が配置される機械室４に比べて軽量であり、熱交換室６の背面側に把手部を設けずとも支柱１５を握って持ち上げることができるが、所定の高さで支柱１５の幅を絞ることで支柱１５に把手部を設ける構成としてもよい。
【００２８】
また、把手部１２ａを熱源機筐体２に螺着される下側ベルマウス１２と一体に設けることで、運搬時や据付時に下側ベルマウス１２が破損したり、ぶれたりせず、丈夫である。
【００２９】
さらに、把手部１２ａを下側ベルマウス１２に一体に設けるので、一体成形が可能であり、部品点数を削減でき、部品製造コストと組立コストを低減でき安価である。
【００３０】
本実施形態では、下側ベルマウス１２にのみ把手部１２ａを設けたが、上側ベルマウス１１を下側ベルマウス１２と同一のベルマウスとし、前面吹出板１３の上側ベルマウスの把手部に対向する位置に把手用開口部を設けない構成としてもよい。この場合、上側ベルマウスと下側ベルマウスを共通化できるので、部品の種類を削減できる。
【００３１】
本実施形態の熱源機によれば、把手を筐体に螺着されるベルマウスと一体に設けることで、運搬時や据付時にベルマウスが破損したり、ぶれたりせず、丈夫で安価な熱源機が実現される。
【図面の簡単な説明】
【００３２】
【図１】本発明の一実施形態に係る熱源機の正面を示す概念図。
【図２】本発明の一実施形態に係る熱源機を分解し、前面吹出板を切欠して示す斜視図。
【図３】本発明の一実施形態に係る熱源機に用いるベルマウスの平面図。
【符号の説明】
【００３３】
１…熱源機、２…熱源機筐体、３…底板、４…機械室、５…前面板、６…熱交換室、７…上側吹出口、８…下側吹出口、９…上側吹出グリル、１０…下側吹出グリル、１１…上側ベルマウス、１２…下側ベルマウス、１２ａ…把手部、１２ｂ…ベルマウス本体、１２ｃ…ねじ孔、１２ｄ…取付片部、１２ｅ…取付片部、１３…前面吹出板、１３ａ…把手用開口、１４…線状部材、１５…支柱、１６…フィンガード、１７…機械室側板、１７ａ…背面、１８…上部開口、１９…天板、２０…前面把手、２１…背面把手、２２…仕切板、２３…圧縮機、２４…アキュムレータ、２５…現地配管接続部、２６…上側送風機、２７…下側送風機、２６ａ…上側ファン、２７ａ…下側ファン、２８…室外制御装置、２９…熱交換器。
【図１】
2010065988.tif 000003
【図２】
2010065988.tif 000004
【図３】
2010065988.tif 000005